(57)【要約】      （修正有）【課題】利用者の首回りおよび胸元の日焼け防止や防寒ができる首巻きを提供する。【解決手段】首巻き１は、首に巻かれる長尺帯状のカラー部２と、カラー部２の帯長手方向（矢印Ｌ）の一端部２ａと他端部２ｂとに設けられて該一端部２ａと他端部２ｂとを係脱可能に係止して連結する連結部３と、カラー部２の下辺２ｃから垂設されていて少なくとも胸元を被うケープ部４とを備えている。首に巻かれたときに顎の下方となる位置のカラー部２の上辺２ｄには、下向きに陥入した切欠き部５が形成されている。カラー部２およびケープ部４は綿生地で構成されている。利用者の首回りはもとより首から胸元にかけてカラー部２およびケープ部４で覆われる。【選択図】図１
0003116291.tif 000002
【実用新案登録請求の範囲】
【請求項１】
首に巻かれる長尺帯状のカラー部と、カラー部の帯長手方向の一端部と他端部とに設けられて該一端部と他端部とを係脱可能に係止して連結する連結部と、カラー部から垂設されていて少なくとも胸元を被うケープ部とを備えて成る首巻き。
【請求項２】
首に巻かれたときに顎の下方となる位置のカラー部の上辺に、下向きに陥入した切欠き部が形成されている請求項１に記載の首巻き。
【請求項３】
カラー部およびケープ部が綿生地で構成されている請求項１または請求項２に記載の首巻き。
【考案の詳細な説明】
【技術分野】
【０００１】
本考案は、利用者の首回りおよび胸元の日焼けを防止する首巻きに関するものである。
【背景技術】
【０００２】
屋外でスポーツをする際、顔や腕の日焼けには十分な注意と対処がなされるが、首の日焼けは意外と見落とされていることが多い。そこで、屋外スポーツ時に使用されるヘッドバンドを首に巻いて、日焼け防止用の首巻きとして転用することがあった。この首巻きはナイロン（登録商標）製で長尺帯状に形成されており、その帯一端部と帯他端部とが面ファスナなどにより係脱可能に連結されるようになっている。このような首巻きと全体形状が近いものは、例えば下記の特許文献１に記載されている。
【０００３】
【特許文献１】特開２０００−３０３２２６号公報
【考案の開示】
【考案が解決しようとする課題】
【０００４】
ところが、上記ヘッドバンドを転用した首巻きは利用者の首回りの日焼けを防止できても、首から胸元にかけての日焼けを防ぐことはできなかった。また、素材がナイロン製であるため、汗を吸い取りにくく快適さに欠けるという問題もある。
一般に、喉は首からいくぶん前方へ突出しており顔が下を向くと顎が下がるが、上記の首巻きは同じ幅の帯状に形成されているため、帯上辺部に喉や顎が接しやすく、窮屈感を与えて快適な使用ができないという不具合がある。そして、この首巻きで冬場は首回りを保温できるが、ポロシャツなどの襟元から冷風が入り込んで寒さを覚えることがあった。
【０００５】
本考案は、上記した従来の問題点に鑑みてなされたものであって、利用者の首回りおよび胸元の日焼け防止や防寒ができる首巻きの提供を目的とする。
【課題を解決するための手段】
【０００６】
上記目的を達成するために、本考案に係る首巻きは、首に巻かれる長尺帯状のカラー部と、カラー部の帯長手方向の一端部と他端部とに設けられて該一端部と他端部とを係脱可能に係止して連結する連結部と、カラー部から垂設されていて少なくとも胸元を被うケープ部とを備えて成るものである。
【０００７】
また、前記構成において、首に巻かれたときに顎の下方となる位置のカラー部の上辺に、下向きに陥入した切欠き部が形成されているものである。
【０００８】
そして、前記した各構成において、カラー部およびケープ部が綿生地で構成されているものである。
【考案の効果】
【０００９】
本考案に係る首巻きによれば、首に巻かれる長尺帯状のカラー部と、胸元を被うケープ部とを備えているので、利用者の首回りはもとより首から胸元にかけてカラー部およびケープ部で覆われるから、これらの部位の日焼けを防ぐことができる。また、本考案の首巻きを冬場使用することにより、首回りおよび胸元を防寒することも可能となる。
【００１０】
また、カラー部の上辺に下向きの切欠き部を形成した場合は、着用者の顔が下を向いても喉元や顎が入り込むためにカラー部と干渉しにくい。これにより、首が窮屈にならず、快適な着用感を得ることができる。
【００１１】
そして、首巻きの大部分を綿生地で構成した場合は、肌にやさしく汗を吸って蒸散させるために爽快に着用することができ、洗濯が自由なために清潔で快適に使用することができる。
【考案を実施するための最良の形態】
【００１２】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る首巻きを展開した状態の正面図、図２は図１におけるＡ−Ａ線矢視部分を示す概略構成図、図３は前記首巻きの平面図である。
各図において、この実施形態に係る首巻き１は、長尺帯状のカラー部２と、カラー部２の帯長手方向（矢印Ｌ方向）の一端部２ａと他端部２ｂとを係脱可能に係止して連結する連結部３と、カラー部２の下辺２ｃから垂下して設けられたケープ部４とから構成されている。
【００１３】
前記のカラー部２は前後に重ねて縫着された前布と後布とから成り、利用者の首Ｎ（図４参照）に巻かれたときに一端部２ａと他端部２ｂが届く長さに設定されている。ケープ部４はカラー部２の下辺２ｃの全辺にわたって縫着されている。このケープ部４は利用者の胸元Ｃ、肩Ｓ，Ｓ、および背中の一部を被える大きさ・形状に形成されており、それぞれを被う部分として胸元部４ａ、肩部４ｂ，４ｂ、背部４ｃ，４ｃが設けられている。前記の連結部３は、カラー部２の一端部２ａに固着された鉤タイプの面ファスナ３ａと、カラー部２の他端部２ｂに固着されたループタイプの面ファスナ３ｂとの組み合わせ構成となっている。但し、一端部２ａ側の面ファスナ３ａとしてループタイプのものを用い、他端部２ｂ側の面ファスナ３ｂとして鉤タイプのものを用いることも可能である。そして、この首巻き１は連結部３以外が綿生地で構成されている。カラー部２の左右中央部分の上辺２ｄには、下向きに切り欠いた切欠き部５が形成されている。
【００１４】
上記した構成の首巻き１では、利用者がカラー部２の一端部２ａと他端部２ｂを手で持って首の後ろに回し連結部３の面ファスナ３ａと面ファスナ３ｂを係合させて留める。すると、図４に示すように、ケープ部４の胸元部４ａが利用者の胸元Ｃを被い、肩部４ｂ，４ｂが肩Ｓ，Ｓを被い、背部４ｃ，４ｃが背中の上部を被うこととなる。尚、面ファスナ３ａと面ファスナ３ｂの係止位置は、利用者の首Ｎの太さや着用時の心地よさに応じて調節すればよい。そうして、利用者は首巻き１を装着した上に、図５のように、ポロシャツＰを着用してゴルフなどのスポーツなどを行なうのである。
【００１５】
上記した首巻き１によれば、カラー部２およびケープ部４が首筋はもとより首Ｎから胸元Ｃ、肩Ｓ，Ｓ、背中にかけて覆うので、これらの部位の日焼けを防ぐことができゴルフ、テニス、散歩、屋外での農作業などに好適となる。また、ポロシャツＰの襟から覗く襟元は整って美しく見える。一方で、冬期のスポーツなどは首回りが寒くなるが、この首巻き１を着用することにより前記した広い部位にわたって防寒をとることが可能となる。また、首巻き１は面ファスナ以外は綿生地で構成されているので、肌にやさしく汗を吸って蒸散させることができる。従って、夏場でも爽快で暑くならず、首Ｎに湿疹などを生じにくい。また、自由に洗濯できるため、常に清潔で快適な状態で使用することができる。
【００１６】
他方で、ゴルフにおいて正確なショットをしようとすると、顎を引かなければならないが、この首巻き１では、カラー部２の上辺２ｄにおいて、首巻き１を利用者の首Ｎに巻いたときに顎Ｔの下方となる位置に、下向きの切欠き部５が形成されているので、着用者の顔が下を向いても喉や顎Ｔが切欠き部５に入り込んでカラー部２と干渉しにくい。これにより、首Ｎが窮屈にならず、快適な着用感が得られるのである。
【００１７】
尚、上記の実施形態では、カラー部の一端部と他端部に設ける連結部として、鉤タイプの面ファスナ３ａおよびループタイプの面ファスナ３ｂを例示したが、本考案はそれに限定されるものでなく、上記した面ファスナの替わりに、例えばボタンとボタン穴、凸ホックと凹ホック、またはフック金具と受け金具などをカラー部の一端部と他端部に設けてよい。
また、上記では胸元、肩、および背中を被うケープ部の例を示したが、本考案のケープ部としては、利用者の少なくとも胸元を被って胸元の日焼けを防止できるものであればよい。また、上記ではポロシャツなど上着の下に本考案の首巻きを装着するようにしたが、上着を着てその上に本考案の首巻きを装着してもよい。また、本発明の首巻きは綿以外の生地で構成してよい。あるいは、紫外線吸収繊維を含む生地で構成すれば、よりいっそうの日焼け防止効果が得られる。
【図面の簡単な説明】
【００１８】
【図１】本考案の一実施形態に係る首巻きを展開した状態の正面図である。
【図２】図１におけるＡ−Ａ線矢視部分を示す概略構成図である。
【図３】前記首巻きの平面図である。
【図４】前記首巻きを着用した態様を示す使用態様図である。
【図５】前記首巻きを着用した上にポロシャツを着た態様を示す使用態様図である。
【符号の説明】
【００１９】
１    首巻き
２    カラー部
２ａ  一端部
２ｂ  他端部
２ｄ  上辺
３    連結部
３ａ  面ファスナ
３ｂ  面ファスナ
４    ケープ部
４ａ  胸元部
５    切欠き部
Ｃ    胸元
Ｌ    矢印
Ｎ    首
Ｔ    顎
【図１】
0003116291.tif 000003
【図２】
0003116291.tif 000004
【図３】
0003116291.tif 000005
【図４】
0003116291.tif 000006
【図５】
0003116291.tif 000007